(57)【要約】      （修正有）【課題】面ファスナーを利用した甲部緊締タイプのシューズであって、ベルトが着脱可能且つ交換可能であり、ベルトを取り外して、洗い作業を容易且つ迅速に行うことができる甲部緊締タイプのシューズを提供する。【解決手段】履き口１の周側面２の両端外側面に面ファスナーを配備し、面ファスナー間に、少なくとも内側面両端部にこの面ファスナーに対応する面ファスナーを備えた装飾ベルト５が着脱可能に渡されて成り、装飾ベルトが交換可能である。【選択図】図１
0003216423.tif 000002
【実用新案登録請求の範囲】
【請求項１】
履き口周側面の両端外側面に面ファスナーを配備し、前記面ファスナー間に、少なくとも内側面両端部に前記面ファスナーに対応する面ファスナーを備えた装飾ベルトが着脱可能に渡されて成り、前記装飾ベルトは交換可能であることを特徴とするシューズ。
【請求項２】
交換用の前記装飾ベルトは、当初の前記装飾ベルトとは異なるデザインのものである、請求項１に記載のシューズ。
【請求項３】
前記装飾ベルトは、絵柄を表現するのに適した縦幅を有する、請求項１又は２に記載のシューズ。
【請求項４】
踵部上部に摘みが突設され、販売時において、前記摘みに交換用の前記装飾ベルトが袋詰めされて取り付けられている、請求項１乃至３のいずれかに記載のシューズ。
【考案の詳細な説明】
【技術分野】
【０００１】
本考案は、主に子供用のシューズであって、甲部緊締手段であるベルトが着脱可能且つ交換可能であるシューズに関するものである。
【背景技術】
【０００２】
子供用のスポーツシューズの多くは、面ファスナーを利用した甲部緊締タイプのものである。即ち、甲部を跨ぐように配置される１又は２本のベルトを横方向（外方向）に引いて緊締具合を調整するタイプである。このタイプの場合のベルトは、一端がアッパーの内方側側面に固定され、自由端となる他端の内側に面ファスナーが定着されていて、その面ファスナー部分をアッパーの外方側側面に定着された面ファスナーの任意の位置に係着することで、緊締具合を調整する。
【０００３】
この従来の面ファスナーを利用した甲部緊締タイプのシューズにおけるベルトは、片側がアッパーに固定されていて取り外すことができない。換言すれば、従来のこの種シューズの場合、ベルトが損傷したり、汚れたりした場合に取り外して交換することは全く想定されていない。また、シューズを洗う時にベルトが邪魔になるという問題もある。
【０００４】
なお、面ファスナーを利用して甲部からカバーを着脱可能にした履物は存するが、それは、アスリートの反射神経を鍛える目的のものであったり（特許文献１）、空気抵抗の低減や緊締操作の向上を目的とするもので（特許文献２）、いずれも緊締を目的とするものではない。
【先行技術文献】
【特許文献】
【０００５】
【特許文献１】特開２００７−３２５９４１号公報
【特許文献２】特開２００５−３１２７１５号公報
【考案の概要】
【考案が解決しようとする課題】
【０００６】
上述したように、従来の面ファスナーを利用した甲部緊締タイプのシューズにおけるベルトは、片側がアッパーに固定されていて取り外すことができないため、ベルトが損傷したり、汚れたりした場合に取り外して交換することができず、また、シューズを洗う際、ベルトが邪魔になるという問題もあった。
【０００７】
本考案はこのような問題を解決するためになされたもので、面ファスナーを利用した甲部緊締タイプのシューズであって、ベルトが着脱可能且つ交換可能であり、ベルトを取り外して洗うことができるので、洗い作業を容易且つ迅速に行うことができる甲部緊締タイプのシューズを提供することを課題とする。
【課題を解決するための手段】
【０００８】
上記課題を解決するための請求項１に記載の考案は、履き口周側面の両端外側面に面ファスナーを配備し、前記面ファスナー間に、少なくとも内側面両端部に前記面ファスナーに対応する面ファスナーを備えた装飾ベルトが着脱可能に渡されて成り、前記装飾ベルトは交換可能であることを特徴とするシューズである。
【０００９】
一実施形態においては、交換用の前記装飾ベルトは、当初の前記装飾ベルトとは異なるデザインのものとされる。また、前記装飾ベルトは、絵柄を表現するのに適した縦幅のものとされる。更に一実施形態においては、踵部上部に摘みが突設され、販売時において、前記摘みに交換用の前記装飾ベルトが袋詰めされて取り付けられる。
【考案の効果】
【００１０】
本考案は上記のとおりであって、本考案に係るシューズの場合、ベルトが着脱可能且つ交換可能であるため、ベルトを取り外して洗うことができるので、洗い作業を容易且つ迅速に行うことができ、また、複数の同一のデザイン又は異種のデザインの装飾ベルトを用意しておくことで、何時でも好きなベルトを選択して交換使用が可能という効果がある。
【図面の簡単な説明】
【００１１】
【図１】本考案に係るシューズの構成を示す斜視図である。
【図２】本考案に係るシューズの構成を示す分解斜視図である。
【図３】本考案に係るシューズにおける装飾ベルトの裏側の構成例を示す斜視図である。
【考案を実施するための形態】
【００１２】
本考案を実施するための形態について、添付図面を参照しつつ詳細に説明する。本考案に係るシューズは、主に子供用のスポーツシューズであって、図１，２に示されるように、履き口１の周側面２の両端外側面に面ファスナー３，４を配備し、面ファスナー３，４間に、少なくとも内側面両端部に面ファスナー３，４に対応する面ファスナー６を備えた装飾ベルト５が着脱可能に渡されて成るものである。周側面２の両端外側面間には隔たりがあり、その間にはタン８が配備されていて、装飾ベルト５はその上をカバーする。
【００１３】
装飾ベルト５の表面には、適宜、キャラクター等の絵柄７が表現される。そのために装飾ベルト５の縦幅は、一般に用いられているような細幅のものではなく、絵柄７を表現するのに十分な縦幅のものとされる。また、装飾ベルト５は、着脱可能且つ交換可能であるので、交換用の装飾ベルト５として、販売当初の装飾ベルト５と同じデザインのものに限らず、それとは異なるデザインのものを用意し、使用者が選択使用可能にすることが好ましい。
【００１４】
上記のとおり、本発明に係るシューズの場合の装飾ベルト５は、その片側だけでなく両側が面ファスナー６を介してシューズ本体に対して脱着自在となっているので、装飾ベルト５は取り外し可能且つ交換可能である。従って、このシューズの場合は、洗い作業をベルトを取り外してことができるので、洗い作業を容易且つ迅速に行うことが可能となる。また、装飾ベルト５が傷んだときには交換することができ、更に、複数種のベルトを用意しておくことで、損傷したときに限らず、何時でも好きな装飾ベルト５を選択して交換使用することが可能となる。
【００１５】
図示した例におけるように、本シューズの販売時に、踵部上部に突設される摘み９に取り付け紐１０を介して、交換用の一対の装飾ベルト５を収納した袋１１を添付することが好ましい。
【産業上の利用可能性】
【００１６】
本考案に係るシューズは上記のとおりであって、装飾ベルト５が着脱可能且つ交換可能であるため、シューズ本体を装飾ベルト５を取り外して洗うことができるので、洗い作業を容易且つ迅速に行うことが可能となり、また、複数のベルトを用意しておくことで、何時でも好きなベルトを選択して交換使用することが可能となる効果のあるものであって、その産業上の利用可能性は大である。
【符号の説明】
【００１７】
１          履き口
２          周側面
３，４，６      面ファスナー
５          装飾ベルト
７          絵柄
８          タン
９          摘み
１０        取り付け紐
１１        袋
【図１】
0003216423.tif 000003
【図２】
0003216423.tif 000004
【図３】
0003216423.tif 000005